(57)【要約】【課題】  分電盤などの盤内に収納される電力量計において、端子カバーを取り外して使用されることがないようにした電力量計を得る。【解決手段】  筺体１の表示窓１ａの部分に対して所定寸法離れた位置を前面にして筺体１の前面部を被装し、かつ、表示窓１ａを介して計測表示部が目視できるようになされた表示カバー１２を有するものにおいて、端子カバー８，１０の上面部に端子カバー係合部８ａ，１０ａを設けると共に、表示カバー１２の端縁に、端子カバー係合部８ａ，１０ａと係合するようになされた表示カバー係合部１２ａ，１２ｂを設け、両係合部の係合により表示カバー１２を筺体１の前面部に設置するようにした。【選択図】図２
2006214761.tif 000002
【特許請求の範囲】
【請求項１】
前面側に計測表示部を有する電力量計本体と、上記電力量計本体が収納されると共に上記計測表示部が目視できる表示窓を有する筺体と、上記筺体のベース部側に設けられ、上記電力量計本体に電源側回路と負荷側回路を接続できるようになされた端子装置と、端子カバー封印ネジの螺着により上記端子装置を被装するようになされた端子カバーと、上記筺体の表示窓から所定寸法離れた位置を前面にして上記筺体の前面部を被装し、かつ、上記表示窓を介して上記計測表示部が目視できるようになされた表示カバーとを有するものにおいて、上記端子カバーの上面部に端子カバー係合部を設けると共に、上記表示カバーの端縁に、上記端子カバーに設けられた端子カバー係合部と係合するようになされた表示カバー係合部を設け、上記端子カバー係合部と表示カバー係合部の係合により上記表示カバーを上記筺体の前面部に設置するようにしたことを特徴とする電力量計。
【請求項２】
上記表示カバーに設けられた係合部と上記端子カバーに設けられた係合部との係合は、スナップフィットによって行われることを特徴とする請求項１記載の電力量計。
【請求項３】
表示カバーの端縁が、端子カバー封印ネジの頭部の少なくとも一部を被装して端子カバーの取り外しを抑止できるようにしたことを特徴とする請求項１または請求項２記載の電力量計。
【請求項４】
上記表示カバーと端子カバー封印ネジとを連結する封印手段を、上記表示カバーと端子カバー封印ネジに設けた係止手段によって係止するようにしたことを特徴とする請求項１〜請求項３のいずれか１項記載の電力量計。
【発明の詳細な説明】
【技術分野】
【０００１】
本発明は、電力量計の構造に係り、特に、分電盤などの盤内に配置される配線用遮断器形の電力量計に関するものである。
【背景技術】
【０００２】
従来、大電力需要家に設置される電力量計は、通常、専用の計器箱に収納するか、あるいは、各種計器と共に配電盤に設置されていた。一方、分岐回路毎の電力量を計測するために、分電盤の内部に、配線用遮断器と共に電力量計を設置する構成も知られている（例えば、特許文献１参照。）。
また、電子式電力量計の進歩とともに、電力量計の外周部を、配線用遮断器の外周部と類似の筺体にすることにより、配線用遮断器と同様の手段で分電盤内に設置する構成も知られている。この配線用遮断器形の電力量計の場合、虚負荷試験用端子の操作を防止し、充電部である端子部に容易に触れることができないようにするために事業者封印ができるようにして端子部を覆う端子カバーを装着している（例えば、特許文献２参照。）。
さらに、分電盤内に設置する配線用遮断器形の電力量計の外形寸法が、一緒に設置する配線用遮断器の外形寸法よりも小さい場合、電力量計の計測表示部が奥まった位置になって、機器全体の外観のバランスが悪くなり、分電盤の表示窓と電力量計の前面との間に大きな隙間ができることがある。このため、電力量計の筺体の前面に、配線用遮断器の外形寸法にバランスさせるように電力量計の外形寸法を大きくするための表示カバーを設置する構成、さらに、その表示カバーの前面をレンズ状にすることなども知られている。
【０００３】
【特許文献１】特開平１０−５１９１１号公報（図１）
【特許文献２】特開２００３−２８８９７号公報（図１）
【発明の開示】
【発明が解決しようとする課題】
【０００４】
従来の電力量計は以上のように分電盤などの盤内に収納される構造のものにおいては、通常、分電盤の外蓋を施錠することで容易に電力量計や配線用遮断器に触れることができないようになされている。このため、分電盤に電力量計を装着したり、内部を点検する業者によっては、事業者封印が不要な場合には端子カバーを取り外したまま使用するようになされることがある。このように端子カバーを取り外している場合、他の業者などが点検・チェック時に、充電部である端子部に誤って触れて感電事故を生じるという問題点があった。
【０００５】
この発明は、上述のような課題を解決するためになされたもので、分電盤などの盤内に収納される電力量計において、端子カバーを取り外して使用されることがないようにした
電力量計を得ることを目的としている。
【課題を解決するための手段】
【０００６】
この発明は上記目的を達成するために、前面側に計測表示部を有する電力量計本体と、電力量計本体が収納されると共に計測表示部が目視できる表示窓を有する筺体と、筺体のベース側に設けられ、電力量計本体に電源側回路と負荷側回路を接続できるようになされた端子装置と、端子カバー封印ネジの螺着により端子装置を被装するようになされた端子カバーと、筺体の表示窓の部分に対して所定寸法離れた位置を前面にして筺体の前面部を被装し、かつ、表示窓を介して計測表示部が目視できるようになされた表示カバーを有するものにおいて、端子カバーの上面部に端子カバー係合部を設けると共に、表示カバーの端縁に、端子カバーに設けられた端子カバー係合部と係合するようになされた表示カバー係合部を設け、上記両係合部の係合により上記表示カバーを筺体の前面部に設置するようにしたものである。
【発明の効果】
【０００７】
上述したようにこの発明の電力量計は、分電盤などの盤内に収納される電力量計において、端子カバーを取り付けた状態にしなければ表示カバーの被装ができない。従って、端子カバーを取り外した状態で使用される問題を解消できる。また、必要に応じて事業者封印もできるようになされている。
【０００８】
さらに、表示カバーの端縁が、端子カバー封印ネジの頭部の少なくとも一部を被装することにより、誤って端子カバーを取り外すような問題も解消できる。
【発明を実施するための最良の形態】
【０００９】
実施の形態１．
図１は、この発明の実施の形態１における電力量計の外観斜視図、図２は図１の分解斜視図、図３は図１の表示カバーを取外したときの外観斜視図、図４は電力量計本体において端子カバーを取り外した状態の斜視図、図５は表示カバーの他の実施例を示す外観斜視図である。図１〜図４において、電力量計１００は、計測した電力量を表示する計測表示部が前面側に配設された電力量計本体（図示せず）と、この電力量計本体が収納されると共に上記計測表示部が目視できる表示窓１ａを有する筺体１を有する。この筺体１は、合成樹脂製のベース部２とカバー部３によって配線用遮断器と類似の外観に形成され、カバー部３の前面側に表示窓１ａが形成されている。筺体１のベース部側において、筺体１の一方側（図４において上側）には電源側端子４ａ，４ｂ，４ｃ、他方側（図４において下側）には負荷側端子５ａ，５ｂ，５ｃが設けられている。この電源側端子４ａ，４ｂ，４ｃには電源側回路が接続できるようになされ、負荷側端子５ａ，５ｂ，５ｃには負荷側回路が接続できるようになされている。なお、６ａ，６ｂは虚負荷試験用端子、７ａ，７ｂは計測された電力量を外部へ出力信号として出力するための出力端子である。
【００１０】
８は電源側端子カバーであり合成樹脂材で形成されている。９は端子カバー封印ネジで
、電源側端子カバー８により電源側端子４ａ，４ｂ，４ｃの上面を被装するために用いる。
１０は負荷側端子カバーであり合成樹脂材で形成されている。１１は端子カバー封印ネジで、負荷側端子カバー１０により負荷側端子５ａ，５ｂ，５ｃの上面を被装するために用いる。９ａ，１１ａは封印孔である。８ａは電源側端子カバー８の上面に設けられた端子カバー係合部、８ｂは封印突起、１０ａは負荷側端子カバー１０の上面に設けられた端子カバー係合部、１０ｂは封印突起であり、両方の端子カバー係合部８ａ，１０ａにより、後述の表示カバー１２を設置する。なお、電源側端子カバー８と負荷側端子カバー１０は通常は同一構造を有する部品として形成される。端子カバー封印ネジ９と端子カバー封印ネジ１１も通常は同一構造を有する部品として形成される。
【００１１】
１２は表示カバーで、例えば、透明なポリカーボネート樹脂で形成され、前面側は透明にして、側面側はシボ（皺）をつけて不透明にしてある。表示カバーの構成あるいは金型の都合などによっては、側面側も透明にすることもある。１２ａ及び１２ｂは表示カバー係合部であり、表示カバー係合部１２ａを電源側端子カバー８の上面に設けられた端子カバー係合部８ａと係合させると共に、表示カバー係合部１２ｂを負荷側端子カバー１０の上面に設けられた端子カバー係合部１０ａと係合させることにより、表示カバー１２が筺体１の前面に設置される。設置された表示カバー１２の前面は、筺体１の表示窓１ａの部分に対して所定寸法はなれた位置にあるようにして筺体１の前面部に被装されている。即ち、分電盤内に一緒に設置する配線用遮断器の外形寸法に対応した大きさにより表示カバー１２の前面位置が設定される。この表示カバー１２の前面から、筺体１の表示窓１ａを介して電力量計の計測表示部が目視できるようになされている。１２ｃ及び１２ｄは封印線を通すための封印孔であり、封印要領は後述する。なお、上記説明における、表示カバー係合部１２ａ，１２ｂと端子カバー係合部８ａ，１０ａの係合は、表示カバー係合部１２ａ，１２ｂの変形により生じる弾力性により係合するもので、一般にスナップフィットと称する係合にすることにより、表示カバー１２の設置を容易にまた確実にしている。この係合はスナップフィットに限定されるものではなく、例えば、ねじ止め、あるいは、フックのように引っ掛ける構成のものであってもよい。
【００１２】
実施の形態２．
この実施の形態２は、上記実施の形態１の構成において、表示カバー１２の端縁が、端子カバー封印ネジ９，１１の頭部の少なくとも一部を被装するように、端子カバー封印ネジ９，１１の位置、及び、表示カバー１２の端縁の位置を設定したものである。（図１参照）
この実施の形態の構成によれば、端子カバー封印ネジ９，１１を緩めることが容易にはできないので、即ち、封印がない状態であっても電源側端子カバー８及び負荷側端子カバー１０を取り外したまま放置されることがない。
【００１３】
一般に、配線用遮断器は、定格電流あるいは付属装置などの関係から外形寸法が大きく変化する。これに対して配線用遮断器形電力量計の外形寸法は大きな変化がない。従って
、配線用遮断器形電力量計を分電盤内に配置するときは、通常、配線用遮断器の外形寸法とのバランスから表示カバー１２を用いることが多い。この場合、上記のように、表示カバー１２の端縁が、端子カバー封印ネジ９，１１の頭部の少なくとも一部を被装するように構成したものは封印が困難になる。この発明による電力量計においては、表示カバー１２の壁面に表示カバー封印孔１２ｃ，１２ｄを設けることにより、図１に示すように電源側端子カバー８の封印突起８ｂと表示カバー封印孔１２ｃの間を封印線１３ａで結合して係止し、封印玉１３ｂを圧接することにより封印手段１３とすることができる。負荷側端子カバー１０の封印突起１０ｂと表示カバー封印孔１２ｄの間も同様に封印手段１３を設けることができる。
【００１４】
この発明の電力量計を、分電盤以外の場所で使用するときは、表示カバー１２が不要になることが多い。このときの電源側端子カバー８及び負荷側端子カバー１０の封印手段１３は、電源側端子カバー８においては、図３に示すように、端子カバー封印ネジ９の封印孔９ａと封印突起８ｂの間を封印線１３ａで結合し、封印玉１３ｂを圧接することにより封印手段１３とすることができる。負荷側端子カバー１０においても、端子カバー封印ネジ１１の封印孔１１ａと封印突起１０ｂの間に上記と同様に封印手段１３を設けることができる。従って、分電盤内に収納されたときも、分電盤以外の場所で使用するときも封印手段１３に関する対応が容易である。さらに、端子カバー封印ネジ９，１１の位置が、表示カバー１２の端縁により被装されない位置にあるときは、端子カバー封印ネジ９，１１
と封印突起８ｂ，１０ｂと表示カバー封印孔１２ｃ，１２ｄの三者を介して封印することも可能であり、この封印手段１３によれば電源側端子カバー８、負荷側端子カバー１０及び表示カバー１２を取り外したまま放置されることがない。
【００１５】
なお、上記の説明では、表示カバー１２の表示カバー封印孔１２ｃ，１２ｄは、表示カバー１２の壁面に設けたものを示したが、図５に示すように、表示カバー１２から突出した延設部１２ｅ，１２ｆを設けて、これに表示カバー封印孔１２ｃ，１２ｄを設けてもよい。延設部１２ｅ，１２ｆによれば、封印線が通しやすくなる。
【００１６】
以上のように構成されたこの発明の実施の形態１及び実施の形態２による電力量計によれば、電源側端子４ａ，４ｂ，４ｃに対し、端子カバー係合部８ａを設けた電源側端子カバー８で被装し、負荷側端子５ａ，５ｂ，５ｃに対し、端子カバー係合部１０ａを設けた負荷側端子カバー１０で被装し、表示カバー１２の端縁に、表示カバー係合部１２ａ，１２ｂを設け、上記両係合部の係合により上記表示カバー１２を筺体１の前面部に設置するようになされている。従って、電源側端子カバー８あるいは負荷側端子カバー１０を取り外した状態では表示カバー１２の設置ができないので、電源側端子カバー８あるいは負荷側端子カバー１０を取り外したまま放置されることがなく、安全に使用できる。
【００１７】
実施の形態３．
上記実施の形態１及び実施の形態２の電力量計１００は、筺体１の一方側に電源側端子４ａ，４ｂ，４ｃ、他方側には負荷側端子５ａ，５ｂ，５ｃを設けて配線用遮断器形にしたものであるが、図６に示すように電源側端子及び負荷側端子を筺体１０１の一方側にまとめたものにおいてもこの発明を実施することができる。即ち、表示カバー１２０の一方側（図示の上側）に表示カバー係合部１２０ａを設け、筺体１０１に本体係合部１０１ｂを設けてスナップフィットさせる。表示カバー１２０の他方側（図示の下側）には電源側端子及び負荷側端子があり、端子カバー１０２により被装されている。そして封印手段１３０が設けてある。この表示カバー１２０と端子カバー１０２の係合（例えばスナップフィット）は上記実施の形態１及び実施の形態２と同様の構成になされる。
【図面の簡単な説明】
【００１８】
【図１】この発明の実施の形態１における電力量計の外観斜視図である。
【図２】図１の分解斜視図である。
【図３】図１の表示カバーを取り外したときの外観斜視図である。
【図４】図１の端子カバーを取り外したときの外観斜視図である。
【図５】表示カバーの他の実施例を示す外観斜視図である。
【図６】実施の形態３における電力量計の外観斜視図である。
【符号の説明】
【００１９】
１  筺体
１ａ  表示窓
２  カバー部
３  ベース部
４ａ，４ｂ，４ｃ  電源側端子
５ａ，５ｂ，５ｃ  負荷側端子
８  電源側端子カバー
８ａ  端子カバー係合部
８ｂ  封印突起
９，１１  端子カバー封印ネジ、
９ａ  封印孔
１０  負荷側端子カバー、
１０ａ  端子カバー係合部、
１０ｂ  封印突起
１２  表示カバー、
１２ａ，１２ｂ  表示カバー係合部、
１３  封印手段。
【図１】
2006214761.tif 000003
【図２】
2006214761.tif 000004
【図３】
2006214761.tif 000005
【図４】
2006214761.tif 000006
【図５】
2006214761.tif 000007
【図６】
2006214761.tif 000008